(57)【要約】  【課題】  裾の長いズボンを履いて歩く際にズボンの裾の後ろ側が靴と踵の間に挟まりにくいようにすることを課題とする。  【解決手段】  本発明に係るズボン裾補強パッドは、ズボンの裾の後ろ側における屈曲を抑制するためのものであり、屈曲を抑制することが想定される面を覆う大きさと形状を有する、想定されるズボンの生地よりも硬い材質で構成されるパッド本体と、前記パッド本体を、前記屈曲を抑制することが想定される面に着脱可能に固定する固定手段とを有する。  【選択図】  図１
2005154935.tif 000002
【特許請求の範囲】
【請求項１】
ズボンの裾の後ろ側における屈曲を抑制するためのパッドであって、
屈曲を抑制することが想定される面を覆う大きさと形状を有する、想定されるズボンの生地よりも硬い材質で構成されるパッド本体と、
前記パッド本体を、前記屈曲を抑制することが想定される面に着脱可能に固定する固定手段と
を有するズボン裾補強パッド。
【請求項２】
前記パッド本体は、下方へ向かって広がる台形もしくは三角形である請求項１に記載のズボン裾補強パッド。
【請求項３】
前記固定手段は、粘着性材料により形成される請求項１又は２に記載のズボン裾補強パッド。
【請求項４】
前記パッド本体は、略中央で二分する線上に切り取りを容易にするための加工が施される請求項１から３のいずれか１項に記載のズボン補強パッド。
【請求項５】
前記パッド本体は、略中央で二分する線上に折り曲げを容易にするための加工が施される請求項１から３のいずれか１項に記載のズボン補強パッド。
【発明の詳細な説明】
【技術分野】
【０００１】
本発明はズボンの裾の後ろ側における屈曲を抑制するためのパッドに関する。
【背景技術】
【０００２】
男性のズボンの裾の後ろ側には、靴とこすれあって擦り切れることを防止すること、および型崩れを防止するために、細長い生地を縫い付けることが行われるが、女性のズボンに関してはこのような処理は通常はされていない。
【発明の開示】
【発明が解決しようとする課題】
【０００３】
女性は高いヒールの靴を履くことが一般的であり、裾が足の裏面よりも下にくるような丈の長いズボンを履くことが好まれる場合がある。この場合、サンダルやバックストラップタイプの靴を履くと、踵側が開いているので、歩いているうちにズボンの裾の後ろ側が折れ曲がって、踵と靴底の間に挟まってしまうことがしばしば起こる。このような事態はジーンズなどの厚い生地でできた素材でも起こっている。また、薄い生地の場合には、パンプスやスニーカーなど、踵が開いていない靴でも裾の後ろが踵と靴の間に入り込む場合がある。このため、靴と足の間に裾が挟まる可能性がある場合には、シルエットの美しさを犠牲にして裾の長さが短いパンツを選択する女性も多い。
本発明はこのような問題に鑑みて、裾の長いズボンを履いて歩く際にズボンの裾の後ろ側が靴と踵の間に挟まりにくいようにすることを課題とする。
【課題を解決するための手段】
【０００４】
上記課題を解決するために、本発明は次のような構成を有する。
請求項１に記載の発明に係るズボン裾補強パッドは、ズボンの裾の後ろ側における屈曲を抑制するためのものであり、屈曲を抑制することが想定される面を覆う大きさと形状を有する、想定されるズボンの生地よりも硬い材質で構成されるパッド本体と、前記パッド本体を、前記屈曲を抑制することが想定される面に着脱可能に固定する固定手段とを有する。
請求項２に記載の発明は、前記パッド本体を下方へ向かって広がる台形もしくは三角形としたものである。なお、「下方」とはパッド本体がズボンに固定された状態を想定した場合における下方を意味する。
請求項３に記載の発明は、前記固定手段を粘着性材料により形成したものである。
請求項４に記載の発明は、前記パッド本体は、略中央で二分する線上に切り取りを容易にするための加工が施されたものである。
請求項５に記載の発明は、前記パッド本体は、略中央で二分する線上に折り曲げを容易にするための加工が施されたものである。
【発明の効果】
【０００５】
請求項１に記載の発明は、ズボンの裾が踵と靴との間に挟まる際に屈曲するズボンの裾の裏面に前記パッド本体を前記固定手段により固定することで、裾が長いズボンを履いてもズボンの裾の後ろ側が踵と靴の間に挟まることを抑制することができる。また、固定手段を着脱可能とすることで、任意のズボンに適用することができる。
請求項２に記載の発明は、前記パッド本体を下方へ向かって広がる台形もしくは三角形にすることで、より補強が必要な裾の下側における面積を大きくする一方で、補強がそれほど必要でない上側は面積を小さくすることで裾近傍のシルエットへの影響を少なくすることができる。
請求項３に記載の発明は、前記固定手段を粘着性材料により形成することで、装着時には固定位置に押し付けるだけで短時間に簡易に固定でき、取り外す時も引き剥がすことで短時間に簡易に取り外すことができる。
請求項４に記載の発明は、前記パッド本体に略中央で二分する線上に切り取りを容易にするための加工が施されることで、センターの折り目があるズボンに対しては、この線上から２分し、センターの折り目を挟むように２分したそれぞれの部分を固定することで、センターの折り目があるズボンにも折り目を崩すことなく適用することができる。
請求項５に記載の発明は、前記パッド本体に略中央で二分する線上に折り曲げを容易にするための加工が施されることで、センターの折り目があるズボンに対しては、この線上から折り曲げて、センターの折り目と折り曲げた線上とを一定させて固定することで、センターの折り目があるズボンにも折り目を崩すことなく適用することができる。
【発明を実施するための最良の形態】
【０００６】
以下、本発明の実施の形態について、図面を参照しながら説明する。
（実施の形態１）
図１（ａ）に本実施の形態に係るズボン裾補強パッドAの表面図を図１（ｂ）に同裏面図を示す。ズボン補強パッドＡはパッド本体１と固定部材２０より構成される。
パッド本体１は、下方が広がった台形状の板厚が約１ｍｍのプラスチック板により構成される。なお、ここではプラスチック板を使用しているが、ズボンの生地よりも硬くかつある程度の撓むことができる素材であればよく、紙、シリコン、ゴムなど種々の材料を採用することができる。また、素材の色は足を組んだときなどに見えても目立たないように透明、白、肌色、黒など色を用いることが望ましい。
固定部材２０は複数の粘着シール２１と粘着シール２１を覆うカバー紙２２により構成される。複数の粘着シール２１は表面に粘着材料が塗布された帯状体であり、パッド本体１の裏面に粘着シール２１の裏面を接着することにより固定されている。カバー紙２２は前記粘着材料から容易に剥離できるように滑らかに加工された紙により形成され、２枚のカバー紙２２により複数の粘着シール２１を左右に２分して覆うように、粘着シール２１の表面に貼り付けられている。
【０００７】
次に、以上のような構成を有するズボン裾補強パッドＡの使用方法について説明する。まず、使用前にカバー紙２２を剥がして粘着シール２１の粘着材料を表出させる。そして、ズボンを履く前に平らなところで、この粘着材料をズボンの裾の後ろ側に貼り付ける。貼り付ける位置は、ズボンの裾の後ろ側における裾の縁とパッド本体の底辺がぎりぎり重ならない程度の位置である。このように貼り付けることで、特に屈曲を抑制するべき面として、踵の下向きの曲面を形成し始める位置から足の底面にいたる面に相対するズボンの裏面に対してパット本体を固定することができる。その後、サンダル等の靴を履いて外出する。ズボン裾補強パッドＡにより裾の後ろ側の屈曲が抑制されるので、この状態で歩いても裾を踵の下に巻き込むことが押さえられることになる。使用後はズボンからズボン補強パッドＡを引き剥がし廃棄する。
【０００８】
（実施の形態２）
図２(ａ)に実施の形態２に係るズボン補強パッドＢの表面図を示し、図２（ｂ）の同裏面図を示す。ズボン補強パッドＢのズボン補強パッドＡとの相違点は、パッド本体１０を縦に２分する線上に、切り取ることが容易にできるように複数の線分状の穴により形成された切り取り線１１がパッド本体１０ａに設けられている点、および、粘着シール２１ａはこの線分上で切断されている点である。
このズボン補強パッドＢはセンターに折り目のあるズボンへの使用に適したものである。使用方法としては、まず、パッド本体１０を切り取り線１１に沿って切り取って２分する。カバー紙２２は丁度切り取り線に沿って左右にそれぞれ貼られているので、それぞれの部分にカバー紙が付いたまま２分することができる。次に、この２分したパッド本体１０のそれぞれからカバー紙２２を剥がして、粘着テープ２１を介してズボンの裏面の屈曲を抑制する面に貼り付ける。この際に、ズボンの折り目が崩れないようにズボンの折り目を挟むようにそれぞれのパッド本体１０を貼り付けるようにする。パッド本体１０を貼り終えれば、ズボンを履いて歩いてもやはり裾を踵の下に巻き込まれることが押さえられることになる。
なお、切り取り線１１でパッド本体を２分割することなく、切り取り線１１を折り曲げ線として折り曲げて、そのまま、折り曲げ線をズボンの折り目に沿うようにパッド本体１０ａを貼り付けるようにしてもよい。
【０００９】
（変形例）
上記の実施の形態ではカバー紙は左右に２枚設けられているが、図３に示すように上下に２枚設けるようにしてもよく、また、一枚で形成してもよい。
また、パッド本体の形状も屈曲を抑制する面が覆われていれば種々の形状を採用することができ、例えば図４（ａ１）（ａ２）に示すような長方形の上辺の真ん中を凸状に形成したような形や、図４（ｂ１）（ｂ２）に示すようにな半楕円形状や、図４（ｃ１）（ｃ２）に示すような長方形状等種々の形状を採用することができる。また、パット本体の幅が十分に細く、ズボンの裾近傍のシルエットが崩れることがほとんどないような場合には、パット本体の材質をほとんど撓まないような材料で形成することも可能である。
【図面の簡単な説明】
【００１０】
【図１】（ａ）は実施の形態１に係るズボン裾補強パッドを示す表面図であり、（ｂ）は実施の形態１に係るズボン裾補強パッドを示す裏面である。
【図２】（ａ）は実施の形態２に係るズボン裾補強パッドを示す表面図であり、（ｂ）は実施の形態２に係るズボン裾補強パッドを示す裏面である。
【図３】カバー紙の変形例を示すズボン裾補強パッドの裏面図である。
【図４】（ａ１）（ａ２）（ｂ１）（ｂ２）（ｃ１）（ｃ２）ともパッド本体の形状の変形例を示すズボン裾補強パッドの表面図である。
【符号の説明】
【００１１】
Ａ、Ｂ  ズボン裾補強パッド
１０  パッド本体
１１  切り取り線
２０  固定部材
【図１】
2005154935.tif 000003
【図２】
2005154935.tif 000004
【図３】
2005154935.tif 000005
【図４】
2005154935.tif 000006